(57)【要約】【課題】演算量やメモリ使用量の増大を抑えつつ、側方や後方の定位感を明瞭化し、定位位置の誤認識発生を抑制できる音像定位処理装置を提供すること。【解決手段】複数チャンネルの音源信号に対して音源定位処理を行う音像定位処理装置１ａであって、前記複数チャンネルの音源信号の入力を受け付け、各チャンネルごとに、該音源信号を所定の音像定位位置に定位させるための音像定位処理を施して音像定位信号を出力する音像定位フィルタ１０Ｌ及び１０Ｒと、音像定位フィルタ１０Ｌ及び１０Ｒから出力される各音像定位信号のうち上記音像定位位置側の少なくとも１つのチャンネルの音像定位信号に、上記音源信号を加算して出力する加算部２０と、を含むことを特徴とする。【選択図】図１
2008306357.tif 000002
【特許請求の範囲】
【請求項１】
複数チャンネルの音源信号に対して音像定位処理を行う音像定位処理装置であって、
前記複数チャンネルの音源信号の入力を受け付け、各チャンネルごとに、該音源信号を所定の音像定位位置に定位させるための音像定位処理を施して音像定位信号を出力する音像定位手段と、
前記音像定位手段から出力される音像定位信号のうち前記音像定位位置側の少なくとも１つのチャンネルの音像定位信号に、前記音源信号を加算して出力する加算手段と、
を含むことを特徴とする音像定位処理装置。
【請求項２】
請求項１に記載の音像定位処理装置において、
前記加算手段は、前記音像定位位置が受聴者の後方である場合に、前記加算を行う、
ことを特徴とする音像定位処理装置。
【請求項３】
請求項１又は２に記載の音像定位処理装置において、
前記音像定位手段は、前記加算手段により前記音源信号が加算されるチャンネルに、最小位相化された音像定位フィルタを含んで構成されるとともに、前記加算手段により前記音源信号が加算されないチャンネルに、遅延器と、最小位相化された音像定位フィルタと、を含んで構成される、
ことを特徴とする音像定位処理装置。
【請求項４】
左チャンネルと右チャンネルとを備える音像定位処理装置であって、
音源信号の入力を受け付け、該音源信号を所定の音像定位位置に定位させるための音像定位処理を施し、左チャンネル用の信号を出力する左チャンネル用音像定位手段と、
前記左チャンネル用音像定位手段の出力信号に前記音源信号を加算して出力する左チャンネル用加算手段と、
前記音源信号の入力を受け付け、該音源信号を前記音像定位位置に定位させるための音像定位処理を施し、右チャンネル用の信号を出力する右チャンネル用音像定位手段と、
前記右チャンネル用音像定位手段の出力信号に前記音源信号を加算して出力する右チャンネル用加算手段と、
前記音像定位位置が受聴者の左耳側である場合に前記左チャンネル用加算手段に前記音源信号を出力し、前記音像定位位置が受聴者の右耳側である場合に前記右チャンネル用加算手段に前記音源信号を出力する制御手段と、
を含むことを特徴とする音像定位処理装置。
【請求項５】
請求項４に記載の音像定位処理装置において、
前記制御手段は、前記音像定位位置と受聴者間の距離の入力を受け付け、受け付けた距離に応じて、前記左チャンネル用加算手段又は前記右チャンネル用加算手段に出力する前記音源信号を増幅するための増幅手段のゲインを制御する、
ことを特徴とする音像定位処理装置。
【発明の詳細な説明】
【技術分野】
【０００１】
本発明は、音像定位処理装置に関し、特に定位感を明瞭化し、定位位置の誤認識発生を抑制できる音像定位処理装置に関する。
【背景技術】
【０００２】
任意の位置に音像を定位させるための処理として、頭部伝達関数（ＨＲＴＦ：Head Related Transfer Function）を音源信号に畳み込む処理（音像定位処理）が知られている（例えば特許文献１参照。）。頭部伝達関数は、音源位置から耳に至るまでの音の伝達特性を表す関数であり、音源位置によって異なるものである。
【０００３】
ヘッドフォンを用いる場合について説明すると、ある位置Ａに音像を定位させたい場合、位置Ａを音源位置とする頭部伝達関数を音源信号に畳み込めば、位置Ａに音像を定位させることができる。
【０００４】
図４は、音像定位処理を行うための具体的な回路構成の例を示す図である。同図に示す音像定位フィルタは、頭部伝達関数を音源信号に畳み込む処理を行うフィルタである。音像定位処理を行う場合、入力される２チャンネルの音源信号に対してこの音像定位フィルタを左チャンネル用及び右チャンネル用それぞれに設置し、左チャンネル用に設置した音像定位フィルタでは、位置Ａから左の耳までの頭部伝達関数を畳み込む。また、右チャンネル用に設置した音像定位フィルタでは、位置Ａから右の耳までの頭部伝達関数を畳み込む。音像定位処理は、以上のようにして行われる。
【０００５】
ところで、頭部伝達関数は、受聴者の頭部形状、音源の種類、再生環境などによって本来異なるものであるが、一般的な環境では、これらに応じて頭部伝達関数を変えられない場合が多い。結果として、側方や後方の定位感が不明瞭となったり、定位位置の誤認識が発生することがある。これは、従来から認識されている音像定位処理の課題である。
【０００６】
特許文献２及び３には、それぞれ上記課題を解決するための技術が開示されている。特許文献２の技術では、左右のチャンネル間に時間遅延差と強度差を導入している。時間遅延差と強度差の値は、定位させたい位置によって決定される。特許文献３の技術では、音像定位処理された主音に、斜め方向からの間接音（反射音または残響音）を付加して再生している。この間接音は、主音の定位位置によって異なるものである。
【特許文献１】特開２０００−２３６５９８号公報
【特許文献２】特表２００１−５１１９９５号公報
【特許文献３】特開平７−２１２８９７号公報
【発明の開示】
【発明が解決しようとする課題】
【０００７】
しかしながら、上記特許文献２に記載の技術には、時間遅延差や強度差をつけるための演算が必要であるため演算量が増し、メモリ使用量も増加するという問題がある。また、上記特許文献３に記載の技術にも、間接音を生成するための演算が必要であるため演算量が増し、メモリ使用量も増加するという問題がある。
【０００８】
従って、本発明の目的の一つは、演算量やメモリ使用量の増大を抑えつつ、側方や後方の定位感を明瞭化し、定位位置の誤認識発生を抑制できる音像定位処理装置を提供することにある。
【課題を解決するための手段】
【０００９】
上記課題を解決するための本発明にかかる音像定位処理装置は、複数チャンネルの音源信号に対して音源定位処理を行う音像定位処理装置であって、前記複数チャンネルの音源信号の入力を受け付け、各チャンネルごとに、該音源信号を所定の音像定位位置に定位させるための音像定位処理を施して音像定位信号を出力する音像定位手段と、前記音像定位手段から出力される音像定位信号のうち前記音像定位位置側の少なくとも１つのチャンネルの音像定位信号に、前記音源信号を加算して出力する加算手段と、を含むことを特徴とする。
これによれば、音像定位処理を施す前の音源信号を音像定位位置側のチャンネル出力信号に加算しているので、音像定位位置側のチャンネル出力信号が安定し、側方や後方の定位感が明瞭化される。また、定位位置の前後の誤認識発生も抑制できる。さらに、加算するだけでこれらの効果が得られ、演算量やメモリ使用量の増大が抑えられている。
なお、上記音像定位処理装置において、前記加算手段は、前記音像定位位置が受聴者の後方である場合に、前記加算を行う、こととしてもよい。
【００１０】
また、上記音像定位処理装置において、前記音像定位手段は、前記加算手段により前記音源信号が加算されるチャンネルに、最小位相化された音像定位フィルタを含んで構成されるとともに、前記加算手段により前記音源信号が加算されないチャンネルに、遅延器と、最小位相化された音像定位フィルタと、を含んで構成される、こととしてもよい。
これによれば、チャンネルの出力信号の位相と、加算される音源信号の位相と、を概ね揃えることができる。また、遅延器を設けたことにより、最小位相化されたフィルタを用いる場合であっても両耳間の位相差を保持できる。
【００１１】
また、本発明の一側面にかかる音像定位処理装置は、左チャンネルと右チャンネルとを備える音像定位処理装置であって、音源信号の入力を受け付け、該音源信号を所定の音像定位位置に定位させるための音像定位処理を施し、左チャンネル用の信号を出力する左チャンネル用音像定位手段と、前記左チャンネル用音像定位手段の出力信号に前記音源信号を加算して出力する左チャンネル用加算手段と、前記音源信号の入力を受け付け、該音源信号を前記音像定位位置に定位させるための音像定位処理を施し、右チャンネル用の信号を出力する右チャンネル用音像定位手段と、前記右チャンネル音像定位手段の出力信号に前記音源信号を加算して出力する右チャンネル用加算手段と、前記音像定位位置が受聴者の左耳側である場合に前記左チャンネル用加算手段に前記音源信号を出力し、前記音像定位位置が受聴者の右耳側である場合に前記右チャンネル用加算手段に前記音源信号を出力する制御手段と、を含むことを特徴とする。
これによれば、各チャンネル用加算手段への選択的な音源信号の出力を、音像定位位置と受聴者の位置関係に応じて行うことができる。
【００１２】
また、上記音像定位処理装置において、前記制御手段は、前記音像定位位置と受聴者間の距離の入力を受け付け、受け付けた距離に応じて、前記左チャンネル用加算手段又は前記右チャンネル用加算手段に出力する前記音源信号を増幅するための増幅手段のゲインを制御する、こととしてもよい。
これによれば、増幅手段のゲイン制御を、音像定位位置と受聴者間の距離に応じて行うことができる。
【発明を実施するための最良の形態】
【００１３】
本発明の実施の形態について、図面を参照しながら説明する。
【００１４】
［第１実施形態］
図１は、本発明の第１実施形態にかかる音像定位処理装置１ａのシステム構成を示す図である。同図に示すように、音像定位処理装置１ａは左（Ｌ）チャンネルと右（Ｒ）チャンネルの音源信号を処理するための構成を備えており、左チャンネルの音源信号処理用に音像定位フィルタ１０Ｌ、加算部２０、及びヘッドフォン用スピーカー３０Ｌを備え、右チャンネルの音源信号処理用に遅延器５、音像定位フィルタ１０Ｒ、及びヘッドフォン用スピーカー３０Ｒを備えている。
【００１５】
遅延器５、音像定位フィルタ１０Ｌ、及び１０Ｒは、音源装置（不図示）から各チャンネルの音源信号の入力を受け付け、各チャンネルごとに、該音源信号を所定の音像定位位置に定位させるための音像定位処理を施して音像定位信号を出力する音像定位手段として機能する。なお、本実施形態では、上記音像定位位置が受聴者頭部の左耳側（受聴者が前を向いている場合には受聴者の左側に同じ。）に固定されている。
【００１６】
具体的には、左チャンネルにおいては、音像定位フィルタ１０Ｌは、音源装置から音源信号を受け付け、上記音像定位位置から左耳までの頭部伝達関数を畳み込む。右チャンネルにおいては、まず遅延器５が、音源装置から音源信号を受け付け、音像定位位置によって決まる量の遅延を与えて、音像定位フィルタ１０Ｒに出力する。音像定位フィルタ１０Ｒは、遅延器５から入力された音源信号に上記音像定位位置から右耳までの頭部伝達関数を畳み込む。
【００１７】
ここで、頭部伝達関数及び音像定位処理について詳しく説明しておく。受聴者頭部を中心とする半径ｒの球面上の位置（ｒ，θ，φ）から左耳までの頭部伝達関数ｈｒθφＬ（ｔ）は、位置（ｒ，θ，φ）からインパルス音を放出し、左耳の中に設置されたマイクロフォンで集音したインパルス応答である。右耳までの頭部伝達関数ｈｒθφＲ（ｔ）についても同様である。
【００１８】
音像定位フィルタ１０Ｌ及び１０Ｒは、音源信号ｇ（ｔ）の入力を受け付けると、式（１）により畳み込み積分ＷｒθφＬ（ｔ）及びＷｒθφＲ（ｔ）をそれぞれ算出し、それぞれ信号ＷｒθφＬ（ｔ）及びＷｒθφＲ（ｔ）を出力する（音像定位処理）。
【００１９】
【数１】
2008306357.tif 000003
【００２０】
ここで、ｈｒθφＬｍ（ｔ）及びｈｒθφＲｍ（ｔ）は、それぞれｈｒθφＬ（ｔ）及びｈｒθφＲ（ｔ）を最小位相化したものである。すなわち、音像定位フィルタ１０Ｌ及び１０Ｒは、最小位相化された頭部伝達関数を用いて上記式（１）の計算を行っている。このように最小位相化された頭部伝達関数を用いる音像定位フィルタ１０Ｌ及び１０Ｒを、最小位相化されたフィルタという。なお、音像定位フィルタ１０Ｌ及び１０Ｒは、デジタルフィルタ処理により、それぞれＷｒθφＬ（ｔ）及びＷｒθφＲ（ｔ）を出力してもよい。
【００２１】
最小位相化は、音像定位フィルタ１０Ｌ及び１０Ｒの出力信号の遅延を最小とするための処理である。本実施の形態では特に、音像定位フィルタ１０Ｌの最小位相化によって、音像定位フィルタ１０Ｌからの出力信号の位相と、該出力信号に加算される音源信号の位相と、のずれが小さくなっており、それによって加算部２０における加算時にそれぞれの信号が打ち消しあってしまうおそれが少なくなっている。
【００２２】
ところで、頭部伝達関数が最小位相化されていることにより左右の出力信号間での位相ずれも最小化されることになるが、音像定位位置によっては、左右の出力信号間での位相差が必要になることがある。このため、最小位相化されたフィルタを用いる場合、音像定位位置によっては、音像定位位置側の出力信号の位相を、音像定位位置側でない側の出力信号の位相に比べて進ませることが必要になる。遅延器５は、音像定位位置側でない側（ここでは右チャンネル）の音源信号を音像定位位置に応じた遅延量（以下、最小位相化に基づく遅延量という。）だけ遅延させることにより、このような位相ずれを実現する。
【００２３】
なお、最小位相化に基づく遅延量の具体的な値は次の通りである。すなわち、左耳までの頭部伝達関数ｈｒθφＬ（ｔ）の持つ遅延時間と、右耳までの頭部伝達関数ｈｒθφＲ（ｔ）の持つ遅延時間と、の差が、最小位相化に基づく遅延量となる。より具体的には、各頭部伝達関数に基づいて求められる音像定位位置から各耳へのインパルス応答のピーク位置の左右差が、最小位相化に基づく遅延量となる。
【００２４】
さて、加算部２０は、音像定位フィルタ１０Ｌの出力信号（左チャンネル出力信号）及び音像定位フィルタ１０Ｒの出力信号（右チャンネル出力信号）のうち、上記音像定位位置側のチャンネル出力信号に、音源定位フィルタを介さずに音源信号を加算して信号を出力する加算手段として機能する。本実施形態では音像定位位置が受聴者頭部の左耳側にあるため、加算部２０は左チャンネルに備えられており、音像定位フィルタ１０Ｌの出力信号ＷｒθφＬ（ｔ）に音源信号ｇ（ｔ）（音像定位フィルタ１０Ｌを通過する前の音源信号）を加算し、信号ＷｒθφＬ（ｔ）＋ｇ（ｔ）を出力する。
【００２５】
ヘッドフォン用スピーカー３０Ｌは、加算部２０から出力される信号ＷｒθφＬ（ｔ）＋ｇ（ｔ）を音波に変換して出力する。また、ヘッドフォン用スピーカー３０Ｒは、音像定位フィルタ１０Ｒから出力される信号ＷｒθφＲ（ｔ）を音波に変換して出力する。
【００２６】
以上説明したように、音像定位処理装置１ａは、左チャンネル出力信号又は右チャンネル出力信号のうち、音像定位位置側のチャンネル出力信号に、音像定位処理を施す前の音源信号を加算している。ここで、音像定位処理を施す前の音源信号は耳のすぐ脇に定位する性質があるため、上記のようにすることにより音像定位位置側のチャンネル出力信号が安定し、側方や後方の定位感が明瞭化される。また、定位位置の前後の誤認識発生も抑制できる。さらに、加算するだけでこれらの効果が得られるため、演算量やメモリ使用量の増大が抑えられている。
【００２７】
なお、本実施形態では、音像定位位置が受聴者頭部の左耳側に固定されている例について説明したが、音像定位位置を受聴者頭部の左耳側又は右耳側の任意の位置とすることができるよう、遅延器５及び加算部２０を左右チャンネルにそれぞれ設置し、音源信号の入力先加算部２０を音源定位位置に応じて適宜切り替えるとともに、音源信号を入力する加算部２０の側（音像定位位置側）のチャンネルの遅延器５の遅延量を０、その反対側のチャンネルの遅延器５の遅延量を左右の頭部伝達関数に応じて決まる両耳間遅延量、としてもよい。
【００２８】
［第２実施形態］
図２は、本発明の第２実施形態にかかる音像定位処理装置１ｂのシステム構成を示す図である。なお、同図においては、音像定位処理装置１ａと同一の構成要素については、図１と同一の符号を付している。
【００２９】
図２に示すように、音像定位処理装置１ｂは左チャンネルと右チャンネルとを備えており、左チャンネルの音源信号処理用に遅延器５Ｌ、音像定位フィルタ１０Ｌ（左チャンネル用音像定位手段）、加算部２０Ｌ（左チャンネル用加算手段）、スピーカー３１Ｌ、及び増幅部４０Ｌを備え、右チャンネルの音源信号処理用に遅延器５Ｒ、音像定位フィルタ１０Ｒ（右チャンネル用音像定位手段）、加算部２０Ｒ（右チャンネル用加算手段）、スピーカー３１Ｒ、及び増幅部４０Ｒを備えている。また、音像定位処理装置１ｂはさらに、クロストークキャンセラ５０及び制御部６０も備えている。
【００３０】
なお、音像定位処理装置１ａと音像定位処理装置１ｂとは、音像定位処理装置１ａがヘッドフォン用スピーカー３０Ｌ及び３０Ｒを用いているのに対し、音像定位処理装置１ｂが例えばリビングルーム等に設置される一般のスピーカー３１Ｌ及び３１Ｒを用いている、という点で異なっている。この相違により、音像定位処理装置１ｂでは、チャンネル間干渉を打ち消す必要がある。クロストークキャンセラ５０はこのために設けられているもので、左チャンネルと右チャンネルの間でのチャンネル間干渉を打ち消すための処理を行っている。
【００３１】
さて、音像定位処理装置１ａと音像定位処理装置１ｂとは、音像定位処理装置１ａでは音像定位位置が受聴者頭部の左耳側に固定されていたが、音像定位処理装置１ｂでは音像定位位置を左耳側・右耳側のいずれにも切り替えることができるという点でも異なっている。以下、この相違点を中心に、音像定位処理装置１ｂについて詳細に説明する。
【００３２】
制御部６０は、まず、音像定位位置を決定する。この決定は、ユーザ入力に基づいて行うことが好適である。ここで、増幅部４０Ｌ及び４０Ｒは、いずれもゲイン可変な増幅手段である。制御部６０は、この増幅部４０Ｌ及び４０Ｒとともに、決定した音像定位位置が受聴者の左耳側である場合に加算部２０Ｌに音源信号を出力し、決定した音像定位位置が受聴者の右耳側である場合に加算部２０Ｒに音源信号を出力する制御手段として機能する。
【００３３】
具体的な例を挙げて説明する。決定した音像定位位置が受聴者の左耳側である場合、制御部６０は、増幅部４０Ｌのゲインを１とし、増幅部４０Ｒのゲインを０とする。これにより、加算部２０Ｌの出力信号は音像定位フィルタ１０Ｌの出力信号と音源信号とが加算されたものとなり、加算部２０Ｒの出力信号は音像定位フィルタ１０Ｒの出力信号そのものとなる。この結果は、第１実施形態で説明した音像定位処理装置１ａの処理結果と同じものである。
【００３４】
一方、決定した音像定位位置が受聴者の右耳側である場合、制御部６０は、増幅部４０Ｌのゲインを０とし、増幅部４０Ｒのゲインを１とする。これにより、加算部２０Ｌの出力信号は音像定位フィルタ１０Ｌの出力信号そのものとなり、加算部２０Ｒの出力信号は音像定位フィルタ１０Ｒの出力信号と音源信号とが加算されたものとなる。この結果は、第１実施形態で説明した音像定位処理装置１ａにおいて、加算部２０を右チャンネル側に移したと仮定した場合の処理結果と同じものである。
【００３５】
制御部６０は、以上のようにして音源信号の加算部２０Ｌ又は加算部２０Ｒへの出力を行うが、さらに、音像定位位置と受聴者間の距離に応じて、加算部２０Ｌ又は加算部２０Ｒに出力する音源信号を増幅するための増幅手段（増幅部４０Ｌ又は４０Ｒのうち、上述の処理によってゲインを０としていない方。）のゲインを制御する処理も行う。具体的には、制御部６０は、上記増幅手段のゲインを、上記距離が長いほど０に近くなるよう０〜１の間で制御する。
【００３６】
なお、制御部６０は、音像定位位置と受聴者間の距離の入力を受け付け、受け付けた距離に応じて、上記ゲイン制御を行う。この入力は、ユーザによる入力とすることが好適である。
【００３７】
また、制御部６０は、決定した音像定位位置に基づいて決まる頭部伝達関数ｈｒθφＬ（ｔ）の持つ遅延時間と、同じく頭部伝達関数ｈｒθφＲ（ｔ）の持つ遅延時間と、の差を算出し、最小位相化に基づく遅延量とする。そして、算出した遅延量を、遅延器５Ｌ及び５Ｒのうち音像定位位置側ではない方の遅延器に設定するとともに、音像定位位置側の遅延器に遅延量０を設定する。遅延器５Ｌ及び５Ｒは、入力された音源信号を設定された遅延量だけ遅延させ、対応する音源定位フィルタに出力する。
【００３８】
以上説明したように、音像定位処理装置１ｂによれば、各加算部２０への選択的な音源信号の出力を、音像定位位置と受聴者の位置関係に応じて行うことができる。また、増幅部４０Ｌ又は４０Ｒのゲイン制御を、音像定位位置と受聴者間の距離に応じて行うことができる。
【００３９】
ここで、音像定位処理装置１ｂを用いて実験を行った際に得られた効果について説明する。図３は、この実験の概略を説明するための図である。同図に示すように、この実験は、受聴者の耳を含む水平面上における受聴者正面からの角度θ＝１２０°，１３５°，１５０°の３点（すなわち、受聴者の斜め後方）をそれぞれ上記音像定位位置としてスピーカから音声出力し、８名の受聴者が実際に聴いて確認するという方法により行ったものである。実験の結果、受聴者８名中８名とも、上記３点いずれについても、音像定位位置側のチャンネル出力信号が安定し、側方や後方の定位感が明瞭化され、さらに、定位位置の左右の誤認識発生が抑制されるという効果が得られた、と答えた。この実験の結果から、少なくとも１２０°≦θ≦１５０°の範囲において、音像定位処理装置１ａの効果が得られることが明らかである。
【００４０】
以上本発明の実施の形態について説明したが、本発明はこうした実施の形態に何等限定されるものではなく、本発明は、その要旨を逸脱しない範囲において、種々なる態様で実施され得ることは勿論である。
【００４１】
例えば、上記各実施の形態では、左チャンネルと右チャンネルを１つずつ備える例について説明したが、本発明は、左チャンネルと右チャンネルを複数ずつ備える場合にも適用可能である。例えば５．１ｃｈサラウンドでは、左前方チャンネル及び左後方チャンネルが左チャンネルに相当し、右前方チャンネル及び右後方チャンネルが右チャンネルに相当する。この場合、音像定位位置側のチャンネル出力信号が複数あることになるが、そのうち音像定位位置側の出力信号全部に音源信号を加算して出力することとしてもよいし、一部のみ（例えば左後方チャンネルのみ）に音源信号を加算して出力することとしてもよい。
【００４２】
また、上記各実施の形態では、各チャンネルの出力信号をスピーカーから出力し、直接受聴者が聴くことができるよう構成した例について説明したが、各チャンネルの出力信号を記録メディアに記録し、後に再生装置によって再生される際、記録メディアから読み出される各チャンネルの出力信号をスピーカーから出力することとしてもよい。
【図面の簡単な説明】
【００４３】
【図１】本発明の第１実施形態にかかる音像定位処理装置のシステム構成を示す図である。
【図２】本発明の第２実施形態にかかる音像定位処理装置のシステム構成を示す図である。
【図３】本発明の第２実施形態にかかる音像定位処理装置を用いて実験を行った際に得られた効果について説明するための説明図である。
【図４】本発明の背景技術にかかる音像定位処理を行うための具体的な回路構成の例を示す図である。
【符号の説明】
【００４４】
１ａ，１ｂ  音像定位処理装置、５，５Ｌ，５Ｒ  遅延器、１０，１０Ｌ，１０Ｒ  音像定位フィルタ、２０，２０Ｌ，２０Ｒ  加算部、３０Ｌ，３０Ｒ  ヘッドフォン用スピーカー、３１Ｌ，３１Ｒ  スピーカー、４０Ｌ，４０Ｒ  増幅部、５０  クロストークキャンセラ、６０  制御部。
【図１】
2008306357.tif 000004
【図２】
2008306357.tif 000005
【図３】
2008306357.tif 000006
【図４】
2008306357.tif 000007